(57)【要約】【課題】  リング状部材の取り出しを容易にすること【解決手段】  リング状部材取出具１は、略垂直に延在した壁部２と、壁部２から略水平に延在し、切欠き部３１を上方に向けた姿勢で複数のリング状部材３０を挿通支持する軸部３とを備えている。軸部３は、基端側から所定数のリング状部材３０の一端が抜け落ちるようになっており、一端が抜け落ちたリング状部材３０の切欠き部３１を一端が抜け落ちた側から反対側へ通すことができ、基端から所定数ずつリング状部材３０を取り出せる取出部２０を備えている。このリング状部材取出具１によれば、基端から所定数のリング状部材３０が分離され斜めに傾いた状態になる。これにより、作業者がリング状部材３０を取り出す際には、所定数のリング状部材３０が既に分離された状態になっている。【選択図】  図１
2006102873.tif 000002
【特許請求の範囲】
【請求項１】
略垂直に延在した壁部と、前記壁部から略水平に延在し、複数のリング状部材を挿通支持する軸部とを備えたリング状部材取出具において、
前記軸部は、切欠き部を有する有端のリング状部材を、切欠き部を上方に向けた姿勢で挿通支持し、軸部の基端側から所定数のリング状部材の一端が抜け落ちるようになっており、一端が抜け落ちたリング状部材の切欠き部を、一端が抜け落ちた側から反対側へ通すことができ、基端から所定数ずつリング状部材を取り出せる取出部を設けたことを特徴とするリング状部材取出具。
【請求項２】
前記軸部の上部に長手方向に延在し、切欠き部を挿通させて切欠き部を上方に向けた姿勢でリング状部材をガイドするガイド部と、
前記ガイド部の両側でリング状部材の切欠き部の両側をそれぞれ支持する支持部と、
前記軸部の基端側から所定数のリング状部材の一端が軸部から抜け落ちる欠落部と、
前記所定数のリング状部材の一端が前記欠落部から抜け落ちるのを許容するが、他のリング状部材の一端が前記欠落部から完全に抜け落ちるのを防止する欠落防止部とを備えていることを特徴とする請求項１に記載のリング状部材取出具。
【発明の詳細な説明】
【技術分野】
【０００１】
本発明は切欠き部を有するリング状部材を取り出すリング状部材取出具に関するものである。
【背景技術】
【０００２】
リング状部材、例えば、ＡＴのトランスミッションの変速ショックを緩和するのに用いられるクッションプレート５０は、図４（ａ）（ｂ）に示すように、幅が７ｍｍ程度の平坦な棒材を、円板形状に曲げ、周方向に波板形状になるようにプレス加工した切欠き部５１を有する有端のリング状部材である。クッションプレート５０は箱に積まれて搬送され、取付作業では、作業者が１枚ずつ箱から取り出して取り付けている。
【０００３】
なお、特開２００４−１３６３７６号には、同様に切欠き部を有する有端のリング状部材を取り出す装置が開示されている。この装置は、リング状部材の切欠き部を下向きにした状態で支持して斜め下方へ滑り移送する傾斜されたリング支持面を有するリング支持部材を備えており、リング状部材を所定数下側から掛止して引き上げ、切欠き部を広げるように変形を伴わせながら、リング支持部材から抜き取るものである。
【特許文献１】特開２００４−１３６３７４号公報
【発明の開示】
【発明が解決しようとする課題】
【０００４】
作業者が箱からクッションプレートを取り出す場合、クッションプレートが重なった状態で２枚取り出され、そのまま組み付けられたり、また稀にではあるが、作業者が組付けを忘れたりする可能性がある。このため、ＡＴトランスミッションの性能を確認する工程において、クッションプレートによる変速ショックを緩和する効果を確認する検査工程を設けて、クッションプレートの組付けに誤りがないかを確認している。
【０００５】
また、特開２００４−１３６３７４号公報には、リング状部材を所定数取り出す装置が開示されているが、リング状部材を所定数下側から掛止して引き上げ、切欠き部を広げるように変形を伴わせながら、リング支持部材から抜き取るものであり、波板形状に変形しているクッションプレートでは、引き上げる際に他のプレートが引っ掛かり、上手く抜き取ることができない場合がある。また、切欠き部を変形させて取り出すので、抜き取る際にクッションプレートが変形してしまうことがある。また、装置構造が繁雑であり、設備コストが掛かり経済的でない。
【課題を解決するための手段】
【０００６】
本発明に係るリング状部材取出具は、略垂直に延在した壁部と、壁部から略水平に延在し、複数のリング状部材を挿通支持する軸部とを備えたリング状部材取出具において、軸部は、切欠き部を有する有端のリング状部材を、切欠き部を上方に向けた姿勢で挿通支持し、軸部の基端側から所定数のリング状部材の一端が抜け落ちるようになっており、一端が抜け落ちたリング状部材の切欠き部を、一端が抜け落ちた側から反対側へ通すことができ、基端から所定数ずつリング状部材を取り出せる取出部を設けたものである。
【発明の効果】
【０００７】
このリング状部材取出具によれば、軸部は切欠き部を上方に向けた姿勢でリング状部材を支持し、基端側から所定数のリング状部材の一端が抜け落ちるようになっているので、基端から所定数のリング状部材は、切欠き部の一端が抜け落ち、他端のみが軸部に引っ掛かって斜めに傾いた状態になる。これにより、リング状部材を取り出す際には、所定数のリング状部材が他のリング状部材から既に分離された状態になっており、取り出すリング状部材の数を間違えることがない。
【０００８】
また、一端が抜け落ちたリング状部材の切欠き部を一端が抜け落ちた側から反対側へ通すことにより、基端側から所定数ずつリング状部材を取り出せる取出部を備えているので、リング状部材を変形させずにリング状部材を取り出すことができる。また、装置構造が簡単であり、設備コストを低く抑えることができる。
【発明を実施するための最良の形態】
【０００９】
以下、本発明の一実施形態に係るリング状部材取出具を図面に基づいて説明する。
【００１０】
このリング状部材取出具１は、図１（ａ）〜（ｃ）に示すように、略垂直に延在した壁部２と、壁部２から略水平に延在した軸部３で構成されている。
【００１１】
壁部２は、壁に設置し又は垂れ下がるように配設するなどして略垂直に延在するように配設する。この実施形態では、壁部２から略直角に延在した、軸部３の上部にガイド部１１に２箇所穴１２、１３を設け、この穴１２、１３に支持材１４を通して軸部３が水平に延在するように設置して、壁部２を垂直にしている。
【００１２】
軸部３は、壁部２から略水平に延在し、切欠き部３１を上方に向けた姿勢で複数のリング状部材３０を挿通支持するようになっている。この実施形態では、軸部３は、図１（ｃ）に示すように、Ｔ字を上下逆さにした断面形状を備え、垂直上方に延在する部位がガイド部１１として機能し、ガイド部１１の下端から両側に水平に延在した部位が、それぞれリング状部材３０の切欠き部３１の両側３２、３３を支持する支持部１５、１６として機能している。
【００１３】
軸部３の基端部は、リング状部材３０を取り出す取出部２０を備えている。取出部２０は、基端側のリング状部材３０ａの一端が抜け落ちるようになっており、一端が抜け落ちたリング状部材３０ａの切欠き部３１を、一端３２が抜け落ちた側から反対側へ通すことにより、リング状部材３０を取り出すことができるようになっている。
【００１４】
この実施形態では、片側の支持部１５は、最も基端側に位置するリング状部材３０ａの一端３２が支持部１５から抜け落ちる欠落部２１を備えており、反対側の支持部１６は、最も基端側に位置するリング状部材３０ａの一端３２が欠落部２１から抜け落ちるのを許容するが、他のリング状部材３０ｂの一端３２が欠落部２１から抜け落ちるのを防止する欠落防止部２２を備えている。
【００１５】
欠落部２１は、図１（ａ）に示すように、軸部３の片側の支持部１５を軸部３の基端からリング状部材３０が１つ抜け落ち得る幅だけ欠損させている。また、欠落防止部２２は、図１（ａ）〜（ｃ）に示すように、反対側の支持部１６の上に、壁部２との間２３に、リング状部材３０、１つ分の間隔を開けて上方に突出した段差２４を設けている。切欠き部３１が段差２４と壁部２との間２３に落ちたリング状部材３０ａの一端が欠落部２１から抜け落ちることができるが、切欠き部３１が段差２４に載った他のリング状部材３０ｂは、一端が欠落部２１から完全に抜け落ちないようになっている。すなわち、段差２４の形状を段差２４が斯かる機能を奏するように設計している。この実施形態では、この段差２４の高さを、リング状部材３０の切欠き部３１の片側が段差２４に乗った状態では、切欠き部３１が欠落部２１から完全に抜け落ちないような高さに設定している。
【００１６】
なお、波板形状に変形しているクッションプレート５０（図３参照）に対応させる場合には、クッションプレートの端部が壁部２から少し離れた位置に位置することがあるので、欠落部２１の幅を少し広くする必要がある。この場合、欠落部２１の幅が広いために、最も基端側に位置するクッションプレートの切欠き部が欠落部２１に入った後、基端側から２枚目のクッションプレートの切欠き部も欠落部２１に入ってしまうことが生じ易くなる。斯かる事象により、２枚目のクッションプレートの切欠き部が欠落部２１から完全に抜け落ちるのを防止するため、欠落防止部２２としての段差２４の形状や大きさなどを調整することにより、最も基端側に位置するクッションプレートの切欠き部のみが欠落部２１から完全に抜け落ち、２枚目以降のクッションプレートの切欠き部が欠落部２１から完全に抜け落ちるのを防止するとよい。
【００１７】
この実施形態では、斯かる基端部の構成により、図１（ｂ）のＡ−Ａ矢視断面図である図２に示すように、最も基端側に位置するリング状部材３０ａのみが、切欠き部３１の片側３２が欠落部２１から抜け落ち、反対側３３が段差２４と壁部２との間で支持部１６に乗った状態で傾いて支持されるようになっており、他のリング状部材３０ｂと分離される。
【００１８】
そして、軸部３は、図２に示すように、端面２５がＬ字形に壁部２に接合されており、斜めに傾いて支持された最も基端側のリング状部材３０ａは、図２中点線３０ａ’で図示するように、リング状部材３０ａの切欠き部３１を軸部３の接合端面２５のうち、支持部１６を構成する部位に沿って欠落部２１から反対側に抜取るように操作することにより、リング状部材３０を一枚ずつ抜き出すことができる。
【００１９】
このように、このリング状部材取出具１によれば、リング状部材を取り出す際には、所定数のリング状部材が他のリング状部材から既に分離された状態になっており、取り出すリング状部材の数を間違えることがない。また、リング状部材３０ａを取り出す際にリング状部材３０ａを変形させることがないので、リング状部材３０ａの品質を損なわせることがない。
【００２０】
また、この実施形態では、図１（ｃ）及び図２に示すように、リング状部材３０が取り出されたことを検知することができるように、壁部２の軸部３に挿通されたリング状部材３０の中央に対応する位置に、リング状部材３０が横切ったことを検知するセンサ４１を取り付けている。センサ４１は、例えば、光線上をリング状部材３０が横切ったことを検知する光センサや、リング状部材３０の中央に鋼線などの検知部を配設して、リング状部材３０が取り出される際に検知部に接触するのを検知するものでよい。なお、センサの数や配置は図示例に限定されるものではない。
【００２１】
斯かるセンサ４１を設けることにより、作業者がリング状部材３０を取り出し忘れを検知することができるので、作業者がリング状部材３０の組付けを忘れるのを警告することができ、組付け忘れの発生率を少なくすることができる。
【００２２】
以上、本発明の一実施形態に係るリング状部材取出具を説明したが本発明に係るリング状部材取出具は上記の実施形態に限定されるものではない。
【００２３】
例えば、この実施形態では、欠落部２１をリング状部材３０一枚のみが抜け落ちる幅とし、段差２４と壁部２との間を最も基端側に位置するリング状部材３０のみが段差２４と壁部２との間に落ちる幅としている。これにより、最も基端側に位置するリング状部材３０のみを抜き出すことができるようにしている。
【００２４】
同様の形態において、欠落部２１の幅を所定数のリング状部材３０が抜け落ちる幅とし、段差２４と壁部２との間２３も同じの数のリング状部材３０が段差２４から落ちる幅とすることにより、同時に抜き出すリング状部材３０の数を調整することができ、所定数のリング状部材３０を取り出せるように構成することができる。
【００２５】
例えば、欠落部２１の幅を２つのリング状部材３０が抜け落ちるような幅とし、段差２４と壁部２との間２３も２つのリング状部材３０が段差２４から落ちる幅にすると、リング状部材３０を２つずつ抜き出せるようになる。欠落部２１の幅を３つのリング状部材３０が抜け落ちるような幅とし、段差２４と壁部２との間２３も３つのリング状部材３０が段差２４から落ちる幅にすると、リング状部材３０を３つずつ抜き出せるようになる。
【００２６】
また、上述した実施形態では、軸部は、Ｔ字を上下逆さにした断面形状を備えたものを例示したが、軸部の断面形状はこれに限定されるものではない。
【００２７】
図３（ａ）〜（ｃ）に軸部の他の実施形態を示す。なお、上述したリング状部材１と同じ作用を奏する部材・部位には同じ符号を用いている。この実施形態に係るリング状部材取出具６０は軸部６１が略円筒形状の部材であり、リング状部材３０一つ分の幅を備えたＬ字形状の片材６２を挟んで壁部６３に接合している。また軸部６１の上部には長手方向に延在し、切欠き部３１を上方に向けた姿勢でリング状部材３０をガイドするガイド片６４を取り付けている。ガイド片６４は軸部６１の基端側でＬ字形状の片材６２の鉛直に延在した部位６２ａに連続している。
【００２８】
リング状部材３０は切欠き部３１をガイド片６４に挿通させ、切欠き部３１を上方に向けた姿勢で軸部６１に挿通する。軸部６１に挿通されたリング状部材３０は、ガイド片６４の両側において軸部６１の上面に支持されている。軸部６１の最も基端側に位置するリング状部材３０ａは、図３に示すように、片側（図３中左側）が軸部６１から脱落し、反対側（図３中右側）がＬ字形状の片材６２の水平に延在した部位に引っ掛かった状態になる。このようにこのリング状部材取出具６０は、最も基端側に位置するリング状部材３０ａが傾いて支持されるようになっており、他のリング状部材３０ｂと分離される。この実施形態では、Ｌ字形状の片材６２の屈曲部６２ｃが円筒形状の軸部６１の中心軸線近傍に設けられており、最も基端側に位置するリング状部材３０ａは、他のリング状部材３０ｂから少し下方に落ちかつ斜めに傾いた状態になる。このため他のリング状部材３０ｂとはより明確に分離される。
【００２９】
この実施形態では、軸部６１と壁部６３との間の隙間６５がリング状部材３０ａが欠落する欠落部として機能し、略円筒形状の軸部６１がリング状部材３０を支持する支持部、及び、他のリング状部材３０ｂの一端が欠落部２１から完全に抜け落ちるのを防止する欠落防止部として機能している。
【００３０】
また、リング状部材を軸部の基端側への移送が、リング状部材の自重により行なわれ、又は、リング状部材の自重により補助されるように、軸部の支持部は先端側が基端側よりも高くなっていてもよい。また、例えば、略垂直な壁部から略水平に軸部が延在したものを例示したが、壁部は厳密に垂直である必要はなく、軸部も厳密に水平である必要は無い。この場合、先端側が高くなるように、軸部を傾けて配設して、リング状部材を軸部の基端側への移送が、リング状部材の自重により行なわれ、又は、リング状部材の自重により補助されるようにしてもよい。
【００３１】
また、このリング状部材取出具は、軸部の基端から斜めに傾いて分離されたリング状部材を作業者が任意に取り出すように用いてもよいし、リング状部材を操作して、リング状部材をリング状部材取出具から抜き出す機構を組み合わせて、機械によりリング状部材を取り出すのを補助するのに用いても良い。斯かるリング状部材取出具を、切欠き部を有する有端のリング状部材を組付けるような作業工程に採用することにより、作業者による人為的なミスや、機械の取り出しミスなどを低減させることができる。また、本発明に係るリング状部材取出具は構造が簡単であり、リング状部材取出具を取り出す操作も簡単であるから、機械式の取り出し機構を組み合わせるとしても、設備コストが少なくすむ。
【００３２】
また、切欠き部を有する有端のリング状部材は上述したクッションプレートに限定されず、スナップリングや、エンジンのピストンリングなどの取出具にも用いることができる。
【図面の簡単な説明】
【００３３】
【図１】（ａ）は本発明の一実施形態に係るリング状部材取出具の平面図、（ｂ）はリング状部材取出具の使用状態を示す側面図、（ｃ）はリング状部材取出具の使用状態を示す正面図である。
【図２】リング状部材取出具の使用状態を示す軸部の基端部のＡ−Ａ矢視断面図である。
【図３】（ａ）は本発明の他の実施形態に係るリング状部材取出具の平面図、（ｂ）はリング状部材取出具の使用状態を示す側面図、（ｃ）はリング状部材取出具の使用状態を示す正面図である。
【図４】（ａ）はクッションプレートの正面図、（ｂ）はクッションプレートの側面図である。
【符号の説明】
【００３４】
１     リング状部材取出具
２     壁部
３     軸部
１１   ガイド部
１５、１６    支持部
２０   取出部
２１   欠落部
２２   欠落防止部
２４   段差
３０、３０ａ、３０ｂ リング状部材
３１   切欠き部
４１   センサ
【図１】
2006102873.tif 000003
【図２】
2006102873.tif 000004
【図３】
2006102873.tif 000005
【図４】
2006102873.tif 000006